(57)【要約】【課題】  本発明はメロン等のように比較的重く粗度大な果実６を１個づつ凹部に収容し、隣接部凹部に収容したメロン等の果実相互６，６に干渉するおそれがなく、かつ果実６の表面を柔らかく支持し得て果実表面の擦過傷を防止し、輸送による品質低下を阻止することを目的とする。【解決手段】  複数の果実収容凹部２を連設してなるパルプモウルドトレー１において、上記凹部２の内面１ｂの粗度を大に、外面１ａの粗度を小に抄製乾燥させてなる青果物等の包装用トレー。【選択図】  図１
2010189830.tif 000002
【特許請求の範囲】
【請求項１】
複数のメロン等の球状果実の下部を収容する円弧球形凹部（２）を横方向に連設し、
連設方向に隣接する上記凹部（２）の境界部分（３）に該凹部（２）をそれぞれ上方に延長して緩衝片（４）を突設してなるパルプモウルドからなる球状果実の包装用トレーの製造法であって、
パルプ溶液槽内に凹弧状金型網（９）を支持する金型（１０）を浸漬し、該金型（１０）からその吸引孔（１１）を経てパルプ溶液を吸引し、上記金型網（９）の外側にパルプモウルドトレーを抄製する包装用トレーの製造法において、
上記金型（１０）に支持された金型網（９）にトレーの外面（１ａ）を接することで、上記金型網（９）に接する面とは反対側の上記円弧球形凹部（２）の内面（１ｂ）は果実の表面を柔らかく支持する不規則な凹凸（１ｂ’，１ｂ”）が形成された表面粗度が大の凹部（２）とし、上記金型網（９）に接するトレーの外面（１ａ）は該金型網（９）の網目による表面粗度が小の滑らかな面として上記トレーを抄製乾燥させてなり、
かつ抄製時に、上記金型網（９）を上記円弧球形凹部（２）の外側及び上記緩衝片（４）の内側に配置することで、上記緩衝片（４）の外面は果実の表面を柔らかく支持する不規則な凹凸（１ｂ’,１ｂ”）が形成された表面粗度が大の外面とし、上記緩衝片（４，４）の内面は上記金型網（９）の網目による表面粗度が小の面として形成し、
さらに、上記金型網（９）の内側に抄製されたパルプモウルドトレー（１’）を吸引受取凸金型（９’）に受渡し、該受取凸金型（９’）が受取抄製パルプモウルドトレー（１’）を乾燥炉に向うコンベア（１３）上に供給し、
上記受取凸型（９’）が上記受取抄製パルプモウルドトレー（１’）を上記コンベア（１３）に供給するとき、上記トレー（１’）の上記円弧球形凹部（２）の外面（１ａ）側を上記コンベア（１３）上に載置し、
該コンベア（１３）上に載置された上記抄製パルプモウルドトレー（１’）を、上記コンベア（１３）により乾燥機に搬送し乾燥させることを特徴とする球状果実の包装用トレーの製造法。
【請求項２】
上記複数の円弧球形凹部（２）は横方向に２列に連設されており、
上記緩衝片は、連設及び列方向に隣接する該凹部（２）の境界部分（３）に、該凹部（２）をそれぞれ一連の区画部分（５）より上方に延長して互いに対向する緩衝片（４，４）として突設されており、
上記金型網（９）を上記円弧球形凹部（２）の外側及び上記対向緩衝片（４）の内側に配置することで、上記対向する緩衝片（４）の外面は果実の表面を柔らかく支持する不規則な凹凸（１ｂ’,１ｂ”）が形成された表面粗度が大の外面とし、上記対向する緩衝片（４，４）の内面は上記金型網（９）の網目による表面粗度が小の面として形成することを特徴とする請求項１記載の球状果実の包装用トレーの製造法。
【請求項３】
上記対向する緩衝片（４，４）は、上記一連の区画部分（５）より上方の位置で、対向する緩衝片（４，４）間に間隙（ｔ）を介在させて対向方向に弾性傾倒可能とした請求項２記載の球状果実の包装用トレーの製造法。
【請求項４】
上記緩衝片（４，４）と直交する上記一連の区画部分（５）は屈曲自在に形成された請求項２又は３に記載の球状果実の包装用トレーの製造法。
【発明の詳細な説明】
【技術分野】
【０００１】
本発明は果実の円弧球状下部を収容する複数の円弧球状凹部を隣接形成し、これを段ボール箱に収容するパルプモウルド製包装用トレーの製造法に関するものである。
【背景技術】
【０００２】
従来、パルプ又は故紙繊維モウルドにより果物輸送用トレーが開発され、メロン等を収容し、これをさらに段ボール箱に収納して用いた（例えば特許文献１）。
【０００３】
ところが円弧球状下部凹部に収容したメロンは隣接部が接触して損傷し、商品価値を著しく低下させた。
【０００４】
そのためトレーの隣接凹部境界部分にメロンの相互干渉による損傷を防止する衝立状緩衝片を設けた（例えば特許文献２、３）。
【０００５】
しかし、トレーの内面及び上記緩衝片の外面は粗度が小でクッション性に乏しく、メロンの外皮をこすって損傷させ易いという問題があった。
【先行技術文献】
【特許文献】
【０００６】
【特許文献１】実開昭５４−４９３８１号
【特許文献２】登録第１０２３１９４号意匠公報
【特許文献３】登録第１０３１０５１号意匠公報
【発明の概要】
【発明が解決しようとする課題】
【０００７】
本発明はメロン等のように比較的重く粗度大な果実を１個づつ凹部に収容し、隣接部凹部に収容したメロン等の果実相互に干渉するおそれがなく、かつ果実の表面を柔らかく支持し得て果実表面の擦過傷を防止し、輸送による品質低下を阻止することを目的とする。
【課題を解決するための手段】
【０００８】
上記の目的を達成するため本発明は、
第１に複数のメロン等の球状果実の下部を収容する円弧球形凹部（２）を横方向に連設し、連設方向に隣接する上記凹部（２）の境界部分（３）に該凹部（２）をそれぞれ上方に延長して緩衝片（４）を突設してなるパルプモウルドからなる球状果実の包装用トレーの製造法であって、パルプ溶液槽内に凹弧状金型網（９）を支持する金型（１０）を浸漬し、該金型（１０）からその吸引孔（１１）を経てパルプ溶液を吸引し、上記金型網（９）の外側にパルプモウルドトレーを抄製する包装用トレーの製造法において、上記金型（１０）に支持された金型網（９）にトレーの外面（１ａ）を接することで、上記金型網（９）に接する面とは反対側の上記円弧球形凹部（２）の内面（１ｂ）は果実の表面を柔らかく支持する不規則な凹凸（１ｂ’，１ｂ”）が形成された表面粗度が大の凹部（２）とし、上記金型網（９）に接するトレーの外面（１ａ）は該金型網（９）の網目による表面粗度が小の滑らかな面として上記トレーを抄製乾燥させてなり、かつ抄製時に、上記金型網（９）を上記円弧球形凹部（２）の外側及び上記緩衝片（４）の内側に配置することで、上記緩衝片（４）の外面は果実の表面を柔らかく支持する不規則な凹凸（１ｂ’,１ｂ”）が形成された表面粗度が大の外面とし、上記緩衝片（４，４）の内面は上記金型網（９）の網目による表面粗度が小の面として形成し、さらに、上記金型網（９）の内側に抄製されたパルプモウルドトレー（１’）を吸引受取凸金型（９’）に受渡し、該受取凸金型（９’）が受取抄製パルプモウルドトレー（１’）を乾燥炉に向うコンベア（１３）上に供給し、上記受取凸型（９’）が上記受取抄製パルプモウルドトレー（１’）を上記コンベア（１３）に供給するとき、上記トレー（１’）の上記円弧球形凹部（２）の外面（１ａ）側を上記コンベア（１３）上に載置し、該コンベア（１３）上に載置された上記抄製パルプモウルドトレー（１’）を、上記コンベア（１３）により乾燥機に搬送し乾燥させることを特徴とする球状果実の包装用トレーの製造法、
第２に上記複数の円弧球形凹部（２）は横方向に２列に連設されており、上記緩衝片は、連設及び列方向に隣接する該凹部（２）の境界部分（３）に、該凹部（２）をそれぞれ一連の区画部分（５）より上方に延長して互いに対向する緩衝片（４，４）として突設されており、上記金型網（９）を上記円弧球形凹部（２）の外側及び上記対向緩衝片（４）の内側に配置することで、上記対向する緩衝片（４）の外面は果実の表面を柔らかく支持する不規則な凹凸（１ｂ’,１ｂ”）が形成された表面粗度が大の外面とし、上記対向する緩衝片（４，４）の内面は上記金型網（９）の網目による表面粗度が小の面として形成することを特徴とする上記第１発明記載の球状果実の包装用トレーの製造法、
第３に、上記対向する緩衝片（４，４）は、上記一連の区画部分（５）より上方の位置で、対向する緩衝片（４，４）間に間隙（ｔ）を介在させて対向方向に弾性傾倒可能とした上記２発明記載の球状果実の包装用トレーの製造法、
第４に、上記緩衝片（４，４）と直交する上記一連の区画部分（５）は屈曲自在に形成された上記２又は３発明に記載の球状果実の包装用トレーの製造法、
によって構成される。
また、本発明は、上記の目的を達成するため本発明は、
第１に複数の果実収容凹部を連設してなるパルプモウルドトレーにおいて、上記凹部の内面の粗度を大に、外面の粗度を小に抄製乾燥させてなる青果物等の包装用トレー、
第２に連設方向に隣接する上記凹部の境界部分に該凹部をそれぞれ上方に延長して対向緩衝片を突設し、該対向緩衝片間に間隙を介在させ、かつ該緩衝片の外面の粗度を大に内面の粗度を小に形成した上記第１発明記載の青果物等の包装用トレー、
第３に上記凹部の連設方向に一連の屈曲自在区画部分を形成し、該部分の両側に上記凹部を隣接させた上記第１又は第２発明記載の青果物等の包装用トレー。
によって構成される。
【０００９】
従ってメロン等の比較的重くかつ粗度大で丸い球状の果実を上記凹部に収容し、さらに段ボール箱に収容して輸送する。
【００１０】
収容された隣接果実は輸送による振動や慣性に対し対向緩衝片間の間隙のクッションが作用して相互に上記凹部内に確保される。
【００１１】
又果実の円弧形球面は上記緩衝片の外面及び上記凹部内面の小凹凸（粗度大）によって柔らかく保持される。
【発明の効果】
【００１２】
本発明は上述のようにメロン等のように比較的重量及び球状が大で球状の果実の外面模様を損傷するおそれがなく、輸送による品質低下を防止し得る効果がある。
【図面の簡単な説明】
【００１３】
【図１】本発明のメロン等の包装用トレーを示す拡大縦断面図である。
【図２】図１の抄製状態拡大縦断面図である。
【図３】本発明の金型の拡大縦断面図である。
【図４】上記金型・金型網及び凸金型の縦断面図である。
【図５】パルプモウルドトレーの抄製受渡状態の側面図である。
【図６】抄製パルプモウルドトレーのコンベアへの供給状態であってＡ−Ａ線による縦断面図である。
【図７】抄製パルプモウルドトレーの平面図である。
【図８】図７の正面図である。
【図９】図７の右側面図である。
【図１０】Ｂ−Ｂ線による縦断面図である。
【図１１】上記トレーを上記区画面部から屈曲し、段ボール箱に収容した状態の縦断面図である。
【発明を実施するための形態】
【００１４】
メロン等の球状果実６の下部を収容する円弧球形凹部２，２，２を横方向に２列に連設する（図１）。
【００１５】
上記トレー１において、列方向に隣接する上記凹部２，２の境界部分３又は稜線部分に上記凹部２，２をそれぞれ上方に延長して互に対向する緩衝片４，４を突設し、対向緩衝片４，４間に間隙ｔを介在させて対向方向に弾性傾倒可能となすものである。
【００１６】
上記対向緩衝片４，４の隣接方向（連設方向ａ）と、平行方向即ち上記緩衝片４と直交する一連の区画部分５を屈曲自在に形成し、該部分５を屈曲させて図８に示すように該部分５の両側凹部２，２に形成した対向方向力条７，７を接してトレー１を段ボール箱８内に収容する。
【００１７】
上記トレー１がパルプ濃度約１％溶液槽内に金型網９を浸漬し、該金型網９を支持する金型１０から吸引孔１１を経てパルプ溶液１２を吸引し、金型網９の外側にパルプモウルド１’を抄製する。
【００１８】
抄製されたパルプモウルド１’は金型網９に接する面（外面１ａ）は金型網９の網目が微細であるため表面粗度がきわめて小で滑らかである。
【００１９】
しかし、金型網９に接する面（外面１ａ）と比較し反対側の面（内面１ｂ）は表面粗度が大であり不規則な凹凸１ｂ’，１ｂ”を形成する（図２）。
【００２０】
本発明では上記金型網９を上記凹部２の外側及び上記対向緩衝片４の内側（間隙ｔ側）に配置し、吸引孔１１から溶液を吸引することによって凹弧状金型網９の内側に上記凹部及び上記緩衝片４を有するトレー１を抄製し、パルプ溶液槽１６の上方に上昇回転させ、吸引受取凸型９’に受渡しさらに乾燥炉に向う金網コンベア１３上に上記トレー１を落下供給する。
【００２１】
即ち図５に示すように回転軸１４に複数の腕１５を開き角６０度毎に放射状に設け、該腕１５の先端に開口部１５’を設け、該開口部１５’に図３に示す金型１０を凹型面及び金型網９を外側に向けて支持する。
【００２２】
上記腕１５がパルプ溶液槽１６内を回動し、吸引孔１１から溶液を吸引して上記金型網９にパルプモウルド１’を抄製し、図５に示すように斜上位置ｂに回転した際、上記金型網９に凸金型９’（図４）を図５に示すように嵌合し、金型１０の吸引孔１１から空気を吹出し、凸金型９’の吸引孔１１’から空気を吸引して抄製パルプモウルド１’を金型網９から凸金型９’に受渡すことができる。
【００２３】
凸金型９’は上記コンベア１３上方に設けた回動受渡腕１５”の先端開口部１５ａに設けられ、吸引孔１１’による空気吸引及び空気吹出し動作によって受取抄製パルプモウルド１’をコンベア１３上に供給し、乾燥機に搬送し、乾燥させて図７、図８に示す製品トレーとする。
【００２４】
吸引孔１１，１１’からの空気吸引・吹出しは上記腕１５，１５’への自動切換弁操作により上記腕１５，１５”の上記斜上向位置ｂ及び斜下向位置ｂ’において切換えられる。
【産業上の利用可能性】
【００２５】
上記パルプモウルドトレー１は乾燥させた状態において金型網９による抄製モウルド１’の外面（凹部２の内面２’）の粗度が大で不規則な凹凸１ｂ’，１ｂ”を形成する。上記凹部２の内面２’及び緩衝片４の外面４’の凹凸１ｂ’，１ｂ”によってメロン等の果実の表面に柔軟に適応させることができる。又上記緩衝片４の内面は粗度が小で凹凸が少いため上記間隙ｔを充分介在させることができる。
【符号の説明】
【００２６】
１          パルプモウルドトレー
１ａ，１ｂ  内外面
２          果実収容凹部
ａ          連設方向
３          境界部分
４          対向緩衝片
ｔ          間隙
４’，４”  内外面
５          屈曲自在区画部分
【図１】
2010189830.tif 000003
【図２】
2010189830.tif 000004
【図３】
2010189830.tif 000005
【図４】
2010189830.tif 000006
【図５】
2010189830.tif 000007
【図６】
2010189830.tif 000008
【図７】
2010189830.tif 000009
【図８】
2010189830.tif 000010
【図９】
2010189830.tif 000011
【図１０】
2010189830.tif 000012
【図１１】
2010189830.tif 000013